(57)【特許請求の範囲】
【請求項１】
無線タグを読み取るタグ通信部と、
外部機器と無線通信を行う機器間無線通信部と、
アプリケーションプログラムを記憶する記憶部と、
前記タグ通信部により前記無線タグから読み取った情報に基づき、前記機器間無線通信部で前記外部機器と無線通信を確立し、前記無線タグから読み取った情報に対応するアプリケーションプログラムを前記記憶部から読み出して実行し、前記外部機器を制御する制御情報を前記機器間無線通信部から送信する端末制御部と、
画面を表示する表示部と、操作を受け付ける操作部とを備え、
前記端末制御部は、前記アプリケーションプログラムの機能により、前記外部機器を制御するための操作画面を前記表示部により表示し、前記操作画面の表示中に前記操作部が検出する操作に基づいて、前記制御情報を送信し、
前記タグ通信部により前記無線タグを読み取った場合に第１のアプリケーションプログラムを実行し、前記第１のアプリケーションプログラムの機能により、前記無線タグから読み取った情報に対応する第２のアプリケーションプログラムを実行すること、
を特徴とする端末装置。
【発明の詳細な説明】
【技術分野】
【０００１】
本発明は、表示装置、端末装置、及び、表示システムに関する。
【背景技術】
【０００２】
従来、プロジェクター等の表示装置を、表示装置とは別体のリモコン装置によって操作する方法があった（例えば、特許文献１参照）。特許文献１では、リモコンが赤外線信号を送信し、プロジェクターが赤外線信号を受信して動作する。
ところで、表示装置を操作する装置として、赤外線信号を送信するリモコン以外の、例えば無線通信機能を有する機器を用いることが考えられる。複数の機器間で無線通信を開始する場合、無線通信の確立に必要な情報を事前に持つ必要があるため、表示装置と、表示装置を操作する装置との間でも同様の情報を授受する必要がある。
従来、無線通信を確立するために必要な情報を、無線で読み取り可能な無線タグを利用して、機器間でやりとりする方法が提案された（例えば、特許文献２参照）。特許文献２の構成では、無線通信装置が、無線タグの一種であるＮＦＣ（Near Field Communication）タグを読み取ることにより、ＷＬＡＮ（Wireless Local Area Network）のサービスプロバイダ情報等を取得する。
【先行技術文献】
【特許文献】
【０００３】
【特許文献１】特開２００８−４０３６７号公報
【特許文献２】特表２０１２−５０２５５４号公報
【発明の概要】
【発明が解決しようとする課題】
【０００４】
表示装置と、表示装置を操作する装置との間で、特許文献２に記載された構成を適用する場合、無線通信を確立するために表示装置が無線通信可能な状態でなければならない。このため、例えばＮＦＣタグの読み取りを行う前に表示装置の電源をオンにする操作を行う必要があり、操作が煩雑になるという問題がある。また、表示装置が待機中に無線通信機能をオンにしておけば操作は簡便になるが、待機中の消費電力量が増大するという問題がある。
本発明は、上述した事情に鑑みてなされたものであり、待機中の消費電力量を抑え、操作を簡易化できる構成により、表示装置と無線通信を行う装置を用いて表示装置を操作できるようにすることを目的とする。
【課題を解決するための手段】
【０００５】
上記目的を達成するため、本発明は、画像を表示する表示部を備えた表示装置であって、無線タグと、外部の端末装置と無線通信を行う無線通信部と、前記表示装置の動作状態を、少なくとも通常動作状態と省電力状態とに切り替える制御部と、を備え、前記制御部は、前記省電力状態において前記無線タグが前記端末装置と通信したことを検知すると、動作状態を前記通常動作状態に移行し、前記無線通信部は前記省電力状態から前記通常動作状態に復帰して前記端末装置と無線通信を確立すること、を特徴とする。
本発明によれば、表示装置が省電力状態である場合に、無線タグを読み取る操作を行うことで、表示装置と外部の端末装置との無線通信を速やかに開始できる。従って、無線通信を確立しない間の表示装置の消費電力量を抑え、かつ煩雑な操作を行うことなく、表示装置と端末装置との無線通信を開始できる。
【０００６】
また、本発明は、上記表示装置において、前記無線タグは、少なくとも前記無線通信部の無線通信に係る無線通信設定情報を保持し、前記無線通信部は、前記無線タグが有する前記無線通信設定情報を利用した前記端末装置との間で無線通信を確立すること、を特徴とする。
本発明によれば、無線タグの情報に基づいて無線通信を速やかに確立できる。
【０００７】
また、本発明は、上記表示装置において、前記無線タグはＮＦＣタグであり、前記表示装置の種類を識別する識別情報を有すること、を特徴とする。
本発明によれば、無線タグを読み取る外部の端末装置が、無線タグの情報に基づき表示装置の機種を識別できる。このため、例えば端末装置が表示装置の機種による仕様の違いに対応した制御を行うことが可能になり、利便性の向上を図ることができる。
【０００８】
また、本発明は、上記表示装置において、前記制御部は、前記通常動作状態において前記無線通信部及び前記表示部への電源供給を可能とし、前記省電力状態において前記無線通信部及び前記表示部への電源供給をオフにして前記無線タグの通信を待機すること、を特徴とする。
本発明によれば、無線タグの通信を待機する状態における消費電力量を抑えることができる。
【０００９】
また、本発明は、上記表示装置において、前記制御部は、前記省電力状態から前記通常動作状態に移行して、前記無線通信部への電源供給を開始した後、前記無線通信部が前記端末装置と無線通信を確立しない状態が継続した場合には、前記省電力状態に再度移行すること、を特徴とする。
本発明によれば、無線通信が確立されない場合の消費電力量を抑えることができる。
【００１０】
また、本発明は、上記表示装置において、赤外線信号を受信する赤外線通信部を備え、前記制御部は、前記省電力状態で前記赤外線通信部による赤外線信号の受信を可能とすること、を特徴とする。
本発明によれば、省電力状態で無線タグによる通信とともに赤外線信号を受信できる。
【００１１】
また、本発明の端末装置は、無線タグを読み取るタグ通信部と、外部機器と無線通信を行う機器間無線通信部と、アプリケーションプログラムを記憶する記憶部と、前記タグ通信部により前記無線タグから読み取った情報に基づき、前記機器間無線通信部で前記外部機器と無線通信を確立し、前記無線タグから読み取った情報に対応するアプリケーションプログラムを前記記憶部から読み出して実行し、前記外部機器を制御する制御情報を前記機器間無線通信部から送信する端末制御部と、を備えることを特徴とする。
本発明によれば、表示装置等の外部機器との間で、無線タグを読み取る簡単な操作により、無線通信を確立し、その後にアプリケーションプログラムの機能により外部機器を制御できる。
【００１２】
また、本発明は、上記端末装置において、画面を表示する表示部と、操作を受け付ける操作部とを備え、前記端末制御部は、前記アプリケーションプログラムの機能により、前記外部機器を制御するための操作画面を前記表示部により表示し、前記操作画面の表示中に前記操作部が検出する操作に基づいて、前記制御情報を送信すること、を特徴とする。
本発明によれば、操作画面を利用して、簡単に外部機器を操作できる。
【００１３】
また、本発明は、上記端末装置において、前記端末制御部は、それぞれ異なる前記操作画面を前記表示部で表示する複数の前記アプリケーションプログラムを実行可能であり、前記タグ通信部により前記無線タグから読み取った情報に基づいて、実行する前記アプリケーションプログラムを選択すること、を特徴とする。
本発明によれば、無線タグで読み取った情報に基づいて、外部機器に適するアプリケーションプログラムを選択して実行できる。このため、例えば複数種類の外部機器の無線タグを読み取り可能な構成として、それぞれの外部機器に適するアプリケーションプログラムを実行できる。
【００１４】
また、本発明は、上記端末装置において、前記端末制御部は、前記アプリケーションプログラムの機能により表示可能な複数の前記操作画面のうち、前記タグ通信部により前記無線タグから読み取った情報に対応する前記操作画面を前記表示部で表示すること、を特徴とする。
本発明によれば、無線タグで読み取った情報に基づいて、外部機器に適する操作画面を表示できる。このため、例えば複数種類の外部機器の無線タグを読み取り可能な構成として、それぞれの外部機器に適する操作画面を表示できる。
【００１５】
また、本発明は、上記端末装置において、前記端末制御部は、前記タグ通信部により前記無線タグを読み取った場合に第１のアプリケーションプログラムを実行し、前記第１のアプリケーションプログラムの機能により、前記無線タグから読み取った情報に対応する第２のアプリケーションプログラムを実行すること、を特徴とする。
本発明によれば、無線タグで読み取った情報に基づいてアプリケーションプログラムを起動し、このアプリケーションプログラムの機能により、外部機器に適するアプリケーションプログラムを実行できる。このため、外部機器に対応するアプリケーションプログラムを選択し起動する機能を、アプリケーションプログラムとして実装できる。従って、無線タグとアプリケーションプログラムとを対応付ける機能を、アプリケーションプログラムの機能によって、より高度化できる。
【００１６】
また、本発明の表示システムは、画像を表示する表示部を備えた表示装置と、端末装置とを備え、前記表示装置は、無線タグと、前記端末装置と無線通信を行う無線通信部と、前記表示装置の動作状態を、少なくとも通常動作状態と省電力状態とに切り替える制御部と、を備え、前記制御部は、前記省電力状態において前記無線タグが前記端末装置と通信したことを検知すると、動作状態を前記通常動作状態に移行し、前記無線通信部は前記省電力状態から前記通常動作状態に復帰して前記端末装置と無線通信を確立し、前記端末装置は、前記表示装置の前記無線タグを読み取るタグ通信部と、前記表示装置と無線通信を行う機器間無線通信部と、アプリケーションプログラムを記憶する記憶部と、前記タグ通信部により前記無線タグから読み取った情報に基づき、前記機器間無線通信部で前記表示装置と無線通信を確立し、前記無線タグから読み取った情報に対応するアプリケーションプログラムを前記記憶部から読み出して実行し、前記表示装置を制御する制御情報を前記機器間無線通信部から送信する端末制御部と、を備えること、を特徴とする。
本発明によれば、表示装置と端末装置とを備えたシステムにおいて、表示装置が省電力状態である場合に、端末装置と表示装置との無線通信を速やかに開始できる。従って、無線通信を確立しない間の表示装置の消費電力量を抑え、かつ煩雑な操作を行うことなく、表示装置と端末装置との無線通信を開始できる。
【図面の簡単な説明】
【００１７】
【図１】表示システムの概略構成を示す図。
【図２】端末装置の構成を示すブロック図。
【図３】ＮＦＣ設定データの構成例を示す図。
【図４】プロジェクターの構成の一例を示すブロック図。
【図５】プロジェクターの具体的な構成例を示す図。
【図６】プロジェクター及び端末装置の動作を示すフローチャート。
【図７】端末装置に表示される画像の例を示す図。
【図８】変形例におけるプロジェクターの動作を示すフローチャート。
【発明を実施するための形態】
【００１８】
以下、添付図面を参照して本発明の実施形態について説明する。
図１に、本実施形態の表示システム１の概略構成を示す。本実施形態の表示システム１は、入力装置としての端末装置１０と、表示装置としてのプロジェクター１００とを備える。
【００１９】
端末装置１０は、ユーザーが手に持って操作する小型の装置であり、例えば、スマートフォン等の携帯電話、タブレット端末、ＰＤＡ（Personal Digital Assistants）等の携帯型の装置である。端末装置１０は、平板状の端末装置本体１１を有し、端末装置本体１１の表面には表示パネル５２（表示画面）が配置され、表示パネル５２の表面にはユーザーの接触操作を検出するタッチスクリーン５３（図２）が配置される。表示パネル５２は、図１に示すように、端末装置本体１１の最も広い面の一方において、ほぼ全面を覆うように配置される。また、本実施形態の表示パネル５２は細長い矩形であり、ユーザーが長辺と短辺とを明らかに区別できる。また、端末装置１０は、タッチスクリーン５３の他の入力デバイスとして各種スイッチを備えてもよい。
【００２０】
プロジェクター１００は、投射対象に画像光を投射して、投射対象の面に画像を形成する。プロジェクター１００が画像を投射する投射対象は、平面であっても曲面や凹凸面であってもよいが、本実施形態では、平面で構成されるスクリーンＳＣに投射する例を示す。スクリーンＳＣは壁面等の固定された平面を利用してもよいし、吊り下げ式や立ち上げ式の幕状のスクリーンであってもよい。図１はプロジェクター１００の設置状態を示す。プロジェクター１００は、箱形のプロジェクター本体１０１を有し、プロジェクター本体１０１の一つの面には画像光を投射する投射開口部１１４が設けられる。投射開口部１１４は、プロジェクター本体１０１に内蔵される投射光学系１１３（図４）が光を放射する開口部である。また、プロジェクター本体１０１の上面には、操作パネル１５５が配置される。操作パネル１５５は、ユーザーがプロジェクター１００を操作するためのスイッチ及びプロジェクター１００の動作状態を示すインジケーターランプを備える。例えば、操作パネル１５５は、プロジェクター１００の動作状態を、通常動作状態、及びスタンバイ状態（省電力状態）に切り替える電源スイッチを備える。
【００２１】
プロジェクター１００は、赤外線信号を送信するリモコン７０により、操作できる。リモコン７０は、表示システム１を構成する装置としてもよいし、表示システム１に含めなくてもよい。リモコン７０はプロジェクター１００を操作する各種スイッチを備え、スイッチの操作に対応する信号を、プロジェクター１００に赤外線信号として送信する。
【００２２】
また、プロジェクター１００は、ＮＦＣ（Near Field Communication）タグ１５８を有する。ＮＦＣタグ１５８（無線タグ）は、ＲＦＩＤ（Radio Frequency Identifier）タグ、或いは無線タグと呼ばれる情報記憶媒体である。ＮＦＣタグ１５８は、内蔵するＲＯＭに各種情報を記憶し、ＮＦＣタグ１５８が記憶する情報を外部から読み取り可能である。ＮＦＣタグ１５８は、プロジェクター１００の内部から電源供給を受けるアクティブタグであってもよいし、ＮＦＣタグ１５８を読み取る装置から電源供給を受けるパッシブタグであってもよい。本実施形態では、ＮＦＣタグ１５８がパッシブタグとして構成される例を説明する。
【００２３】
また、ＮＦＣタグ１５８は、ＩＳＯ規格として策定されたＮＦＣの規格に準拠するタグであるが、Felica（登録商標）等、他の種類のＲＦＩＤタグを用いてもよい。ＲＦＩＤタグには、125kHz帯の無線信号を用いるタグ、13.56MHz帯の無線信号を用いるタグ、UHF帯（950MHz帯）の無線信号を用いるタグ、2.45GHz帯の無線信号を用いるタグ等があるが、これらのいずれであってもＮＦＣタグ１５８として利用できる。なお本実施形態では、ＮＦＣタグ１５８が、スマートフォン等の搭載例が豊富な13.56MHz帯の無線信号を用いるタグとして構成される例を説明する。
【００２４】
ＮＦＣタグ１５８は、プロジェクター本体１０１の内部において、プロジェクター本体１０１の上面外装の裏側、または上面の近傍に設置される。従って、ＮＦＣの読み取り機能を有する機器が、プロジェクター本体１０１の上面に接近すると、当該機器はＮＦＣタグ１５８を読み取ることが可能である。プロジェクター本体１０１の上面には、ＮＦＣタグ１５８に近接する位置を示すマーカー１５９が描かれており、ＮＦＣタグ１５８を読み取る際の目安となる。
【００２５】
本実施形態では、スクリーンＳＣは矩形形状であり、プロジェクター１００はスクリーンＳＣの正面（前面）側に配置される。プロジェクター１００は、矩形の画像（静止画像及び動画像を含む）の画像光を投射し、スクリーンＳＣには矩形の投射画像が形成される。図１の設置状態では、プロジェクター１００が、スクリーンＳＣの斜め下方から上向きに画像光を投射するので、スクリーンＳＣに形成される投射画像は矩形ではなく、台形歪みを生じている。
【００２６】
端末装置１０とプロジェクター１００とは、無線通信方式によって各種データを送受信可能に接続される。この無線通信方式は、例えば、ＩＥＥＥ８０２．１１規格に準拠する無線ＬＡＮ（Local Area Network）、Ｂｌｕｅｔｏｏｔｈ（登録商標）、ＵＷＢ（Ultra Wide Band）等の近距離無線通信方式である。また、携帯電話回線を利用した無線通信方式を採用してもよい。
本実施形態では端末装置１０とプロジェクター１００とが無線ＬＡＮにより接続され、制御データや後述するコンテンツデータを無線により送受信する構成を例示する。
プロジェクター１００が通信する端末装置１０は１台に限定されず、図１には一例として１つのプロジェクター１００と１つの端末装置１０とを備えた表示システム１を示す。
【００２７】
端末装置１０とプロジェクター１００とは、無線通信を確立する際に、ＭＡＣ（Media Access Control）アドレス、ＳＳＩＤ（Service Set IDentifier）、アクセスポイント名、パスフレーズ（パスワード）等の情報を使用して互いを識別し、接続する。ここでは、これらの情報を無線通信設定情報と呼ぶ。本実施形態では、端末装置１０及びプロジェクター１００が無線通信可能な状態で、端末装置１０が無線通信設定情報に基づき、無線通信可能な範囲に存在するプロジェクター１００を探索する。従って、端末装置１０は、プロジェクター１００の無線通信設定情報を予め持つ必要がある。
【００２８】
表示システム１では、プロジェクター１００の無線通信設定情報を、ＮＦＣタグ１５８に記憶する。従って、端末装置１０がＮＦＣタグ１５８を読み取ることにより、プロジェクター１００に無線接続するための無線通信設定情報を得ることができる。この無線通信設定情報を用いて、端末装置１０とプロジェクター１００とが無線通信を確立すれば、その後、端末装置１０はプロジェクター１００に無線信号を送信することにより、プロジェクター１００を、あたかもリモコン７０を使用しているかのように操作できる。
【００２９】
図２は、端末装置１０の構成を示すブロック図である。
端末装置１０は、端末装置１０の各部を制御する制御部２０（端末制御部）を備える。制御部２０は、図示しないＣＰＵ（Central Processing Unit）、ＲＯＭ（Read Only Memory）、ＤＲＡＭ（Dynamic Random Access Memory）等を備え、ＲＯＭに記憶した基本制御プログラムをＤＲＡＭに読み込み、ＣＰＵにより実行して、端末装置１０を制御する。また、制御部２０は、記憶部３０に記憶されたプログラムを実行することにより、後述する表示制御部２１、通信制御部２２、アプリケーション実行部２３として機能する（以下、これらを機能ブロックと呼ぶ）。
【００３０】
端末装置１０は、記憶部３０を備える。記憶部３０は、フラッシュメモリー、ＥＥＰＲＯＭ（Electronically Erasable and Programmable Read Only Memory）等の不揮発性の記憶装置であり、制御部２０に接続される。記憶部３０は、制御部２０が実行する各種プログラムやデータを記憶する。また、記憶部３０は、アプリケーションプログラム３１、ＮＦＣ設定データ３２、及びコンテンツデータ３３を記憶する。
【００３１】
端末装置１０は、無線通信部４０（機器間無線通信部）を備える。無線通信部４０は、アンテナやＲＦ（Radio Frequency）回路（不図示）等を備え、制御部２０に接続される。無線通信部４０は、制御部２０によって制御され、プロジェクター１００との間で上述した無線通信方式に準じて各種データを送受信する。無線通信部４０は、通信制御部２２とともに送信部として機能する。
【００３２】
端末装置１０は、表示部５１を備える。表示部５１は、表示パネル５２を備え、制御部２０に接続する。表示部５１は、制御部２０から入力した画像データに基づいて、不図示のＤＲＡＭに確保した描画領域に表示パネル５２の表示解像度に合わせたフレーム画像を描画することにより表示パネル５２に画像を表示させる。
【００３３】
端末装置１０は、タッチスクリーン５３と、スイッチ部５４と、操作検出部５５とを備える。タッチスクリーン５３は、表示パネル５２への接触操作を検出して、検出した操作位置を示す位置信号を操作検出部５５に出力する。操作検出部５５は、タッチスクリーン５３から入力される位置信号に基づいて、タッチスクリーン５３上の座標を示す座標情報を生成し、制御部２０に出力する。
スイッチ部５４は、タッチスクリーン５３とは別に設けられたスイッチ等の各操作子を備え、これらのスイッチが操作された場合に操作信号を操作検出部５５に出力する。操作検出部５５は、スイッチ部５４から入力された操作信号に基づいて、操作された操作子に対応する操作情報を生成して制御部２０に出力する。タッチスクリーン５３及びスイッチ部５４は操作部に相当する。
制御部２０は、操作検出部５５から入力した座標情報又は操作情報に基づいて、表示パネル５２に対する接触操作、スイッチを含む各操作子の操作、及び端末装置１０の本体を動かす操作を検出できる。
【００３４】
端末装置１０は、ＮＦＣタグ通信部６１（タグ通信部）を備える。ＮＦＣタグ通信部６１は、ＮＦＣ規格に準拠したＮＦＣタグの読み取りを行い、ＮＦＣタグから読み取ったデータを制御部２０に出力するタグリーダーである。ＮＦＣタグ通信部６１は、少なくともパッシブタグの読み取りが可能である。端末装置１０が動作中でＮＦＣタグ通信部６１の読み取り動作が有効な状態において、ＮＦＣタグ１５８は、所定時間毎に読み取り用の無線信号を送出する。この無線信号によりＮＦＣタグに誘起電力が発生し、ＮＦＣタグが無線信号を送信した場合、ＮＦＣタグ通信部６１はＮＦＣタグの無線信号を受信してデコードし、制御部２０に受信データを出力する。また、ＮＦＣタグ通信部６１は、ＮＦＣタグに対するデータの読み取りに加え、ＮＦＣタグに対する書き込みが可能なリーダー／ライター装置であってもよい。
【００３５】
制御部２０は、記憶部３０に記憶される基本制御プログラムを実行して、端末装置１０の各部の基本的な制御を行う。この制御は端末装置１０のオペレーティングシステムに相当し、表示制御部２１、通信制御部２２、及びアプリケーション実行部２３は、オペレーティングシステム上で動作するアプリケーションプログラムに対し、基本サービスを提供する。
表示制御部２１は、表示部５１を制御して、表示パネル５２に各種画面を表示させる。表示制御部２１は、記憶部３０に記憶する画像データ等を読み出して、表示部５１に出力する。表示部５１は、入力した画像データに基づいて、不図示のＤＲＡＭに確保した描画領域に表示パネル５２の表示解像度に合わせたフレームを描画し、描画したフレームに基づき表示パネル５２を駆動する。
【００３６】
通信制御部２２は、無線通信部４０を制御してプロジェクター１００と無線通信を行う。通信制御部２２は、所定の周波数の無線信号の送受信を実行し、送信するデータのエンコード、及び受信するデータのデコードを行う。
【００３７】
アプリケーション実行部２３は、記憶部３０が記憶するアプリケーションプログラム３１を実行する。
記憶部３０は、複数のアプリケーションプログラム３１を記憶することができる。各々のアプリケーションプログラム３１には起動条件が設定され、例えば、表示パネル５２に表示されるアイコンに対し操作が行われた場合、操作されたアイコンに対応付けられたアプリケーションプログラム３１が、アプリケーション実行部２３により実行される。アプリケーション実行部２３は、タッチスクリーン５３の操作、スイッチ部５４の操作、或いは、ＮＦＣタグ通信部６１がＮＦＣタグから読み取るデータに対応するアプリケーションプログラム３１を選択して実行する。
【００３８】
ＮＦＣ設定データ３２は、ＮＦＣタグ通信部６１がＮＦＣタグからデータを読み取った場合に起動するアプリケーションプログラム３１を定める。アプリケーション実行部２３は、ＮＦＣタグ通信部６１が読み取ったデータと、ＮＦＣ設定データ３２を参照し、読み取ったデータに対応するアプリケーションプログラム３１を選択して実行する。
【００３９】
ＮＦＣ設定データ３２の具体的な構成例を図３に示す。
図３（Ａ）はＮＦＣ設定データ３２の第１の構成例を示す模式図であり、図３（Ｂ）はＮＦＣ設定データ３２の第２の構成例を示す模式図である。
図３（Ａ）の第１の構成例は、ＮＦＣ設定データ３２の最もシンプルな構成である。ＮＦＣ設定データ３２は、ＮＦＣタグ通信部６１がＮＦＣタグからデータを読み取ったときに起動する一つのアプリケーションプログラム３１を定める。図の例ではアプリケーションプログラム（１）が、実行するアプリケーションプログラムとして登録される。
この場合、ＮＦＣタグ通信部６１から、データの読み取りを示す割り込みが制御部２０に対して行われた場合に、アプリケーション実行部２３は、ＮＦＣ設定データ３２で指定される一つのアプリケーションプログラム３１（アプリケーションプログラム（１））を、実行する。
【００４０】
図３（Ｂ）に示す第２の構成例のＮＦＣ設定データ３２は、複数のアプリケーションプログラム３１のそれぞれに対応付けて、ＮＦＣタグ通信部６１がＮＦＣタグから読み取るデータの内容を対応付ける。
例えば、ＮＦＣタグ１５８が読み取り可能に保持するデータが、プロジェクター１００の機種を分類する手がかりとなるデータを含む場合、機種に対応付けて実行するアプリケーションプログラム３１を選択することができる。図３（Ｂ）の例では、ＮＦＣタグ通信部６１がＮＦＣタグ１５８から読み取った、プロジェクター１００の機種を分類する手がかりとなるデータに基づき、アプリケーション実行部２３がより適したアプリケーションプログラム３１を選択する。選択条件として、例えば、ＮＦＣタグ１５８のデータが「グループ１」を有し「グループ２」を有しない場合はアプリケーションプログラム（１）を選択し、ＮＦＣタグ１５８のデータが「グループ２」を有する場合はアプリケーションプログラム（２）を選択することにする。図３（Ｂ）に示すように、プロジェクター１００の機種「１−Ａ」、「１−Ｂ」、「２−Ａ」、のＮＦＣタグ１５８は「グループ１」のデータのみを有し、プロジェクター１００の機種「２−Ｂ」のＮＦＣタグ１５８は「グループ２」のデータのみを有し、プロジェクター１００の機種「２−Ｃ」のＮＦＣタグ１５８は「グループ１」及び「グループ２」のデータを有しているとする。この場合、プロジェクター１００の機種が「１−Ａ」、「１−Ｂ」または「２−Ａ」の場合は、アプリケーションプログラム（１）が選択され、プロジェクター１００の機種が「２−Ｂ」または「２−Ｃ」の場合は、アプリケーションプログラム（２）が選択される。このように、アプリケーションプログラム（１）およびアプリケーションプログラム（２）の選択条件をＮＦＣタグ１５８に格納されるデータと関連付けておくことにより、アプリケーション実行部２３は、機種に対応するアプリケーションプログラム３１を実行できる。この方法を採用することにより、アプリケーションプログラムの名称そのものがＮＦＣタグに格納されていなくても、プロジェクター１００の機種の特徴を表すデータにより実行するアプリケーションプログラムを選択できるので、より柔軟に最適なアプリケーションプログラムを選択することが可能となる。
【００４１】
コンテンツデータ３３は、動画像（映像）データまたは静止画像データを含み、プロジェクター１００で再生可能なコンテンツのデータである。コンテンツデータ３３は、複数の動画像または静止画像データを含んでもよいし、音声データを含んでもよい。アプリケーション実行部２３が実行するアプリケーションプログラム３１の機能によりコンテンツデータを送信する場合、アプリケーションプログラム３１がコンテンツデータ３３を読み出して無線通信部４０により送信する。
【００４２】
図４は、プロジェクター１００の構成を示すブロック図である。
プロジェクター１００は、インターフェイス部（以下、Ｉ／Ｆと略記する）１２４を備える。プロジェクター１００は、Ｉ／Ｆ部１２４を介して画像供給装置に接続される。Ｉ／Ｆ部１２４には、例えば、デジタル映像信号が入力されるＤＶＩインターフェイス、ＵＳＢインターフェイス、ＬＡＮインターフェイス等を用いることができる。また、Ｉ／Ｆ部１２４には、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を用いることができる。さらに、Ｉ／Ｆ部１２４には、ＨＤＭＩ（登録商標）規格に準拠したＨＤＭＩコネクター等の汎用インターフェイスを用いることができる。また、Ｉ／Ｆ部１２４は、アナログ映像信号をデジタル画像データに変換するＡ／Ｄ変換回路を有し、ＶＧＡ端子等のアナログ映像端子により画像供給装置に接続される構成としてもよい。なお、Ｉ／Ｆ部１２４は、有線通信によって画像信号の送受信を行ってもよく、無線通信によって画像信号の送受信を行ってもよい。
【００４３】
プロジェクター１００は、大きく分けて光学的な画像の形成を行う投射部１１０（表示部）と、この投射部１１０に入力される画像信号を電気的に処理する画像処理系とを備える。投射部１１０は、光源部１１１、液晶パネル１１２Ａを備える光変調装置１１２及び投射光学系１１３を備える。
【００４４】
光源部１１１は、キセノンランプ、超高圧水銀ランプ、ＬＥＤ（Light Emitting Diode）、レーザー等の光源を備える。また、光源部１１１は、光源が発した光を光変調装置１１２に導くリフレクター及び補助リフレクターを備えていてもよい。また、光源部１１１は、投射光の光学特性を高めるためのレンズ群（図示略）、偏光板、又は光源が発した光の光量を光変調装置１１２に至る経路上で低減させる調光素子等があってもよい。
【００４５】
光変調装置１１２は、例えば、透過型の液晶パネル１１２Ａを備え、この液晶パネル１１２Ａは後述する画像処理系からの信号を受けて画像を形成する。この場合、光変調装置１１２は、カラーの投影を行うため、ＲＧＢの三原色に対応した３枚の液晶パネル１１２Ａを備え、光源部１１１からの光はＲＧＢの３色の色光に分離され、各色光は対応する各液晶パネル１１２Ａに入射する。各液晶パネル１１２Ａを通過して変調された色光はクロスダイクロイックプリズム等の合成光学系によって合成され、投射光学系１１３に射出される。
【００４６】
なお、光変調装置１１２は、透過型の液晶パネル１１２Ａを３枚用いた構成に限らず、例えば３枚の反射型の液晶パネルを用いることも可能である。また、光変調装置１１２は、１枚の液晶パネルとカラーホイールを組み合わせた方式、３枚のＤＭＤ（Digital Mirror Device）を用いた方式、１枚のＤＭＤとカラーホイールを組み合わせた方式等により構成してもよい。ここで、光変調装置１１２として１枚のみの液晶パネル１１２Ａ又はＤＭＤを用いる場合には、クロスダイクロイックプリズム等の合成光学系に相当する部材は不要である。また、液晶パネル１１２Ａ及びＤＭＤ以外にも、光源が発した光を変調可能な構成であれば問題なく採用できる。
【００４７】
投射光学系１１３は、光変調装置１１２で変調された入射光を、投射レンズを用いて投射開口部１１４（図１）から外に向けて放射し、スクリーンＳＣ上に投射画像を結像させる。
【００４８】
投射部１１０には、制御部１３０の制御に従って投射光学系１１３が備える各モーターを駆動する投射光学系駆動部１２１、及び制御部１３０の制御に従って光源部１１１が備える光源を駆動する光源駆動部１２２が接続される。投射光学系駆動部１２１及び光源駆動部１２２は、バス１０５に接続される。
【００４９】
プロジェクター１００は、無線通信部１５６を備える。無線通信部１５６は、バス１０５に接続される。無線通信部１５６は、図示しないアンテナやＲＦ（Radio Frequency）回路等を備え、制御部１３０の制御の下、端末装置１０との間で無線通信規格に準拠して通信する。プロジェクター１００と端末装置１０とは、無線通信方式によって各種データを送受信可能に接続される。
【００５０】
プロジェクター１００のＮＦＣタグ１５８は、バス１０５に接続される。ＮＦＣタグ１５８は、端末装置１０が発する読み取り用の無線信号により電源が供給された場合に、制御部１３０に対し割り込みを行う。
【００５１】
プロジェクター１００が備える画像処理系は、プロジェクター１００全体を統合的に制御する制御部１３０を中心に構成され、その他に、記憶部１５１、画像処理部１２５、光変調装置駆動部１２３、入力処理部１５３を備える。制御部１３０、記憶部１５１、入力処理部１５３、画像処理部１２５及び光変調装置駆動部１２３は、それぞれバス１０５に接続される。
【００５２】
制御部１３０は、図示しないＣＰＵ、ＲＯＭ、ＲＡＭおよびＤＲＡＭ等を備え、ＲＯＭに記憶した基本制御プログラムをＲＡＭまたはＤＲＡＭに読み出し、ＣＰＵにより実行して、プロジェクター１００を制御する。また、制御部１３０は、記憶部１５１に記憶されたアプリケーションプログラム３１を実行することにより、後述する投射制御部１３１、通信制御部１３２、電源制御部１３３として機能する。
【００５３】
記憶部１５１は、フラッシュメモリー、ＥＥＰＲＯＭ等の不揮発性のメモリーである。記憶部１５１は、プロジェクター１００の制御に使用される制御プログラムや、画像データ等を記憶する。
また、記憶部１５１は、無線通信設定情報１６１を記憶する。無線通信設定情報１６１は、ＮＦＣタグ１５８が有する無線通信設定情報の少なくとも一部を含み、ＮＦＣタグ１５８の無線通信設定情報の全体を含んでもよい。また、制御部１３０の制御により、ＮＦＣタグ１５８が記憶する無線通信設定情報を、記憶部１５１にコピーしてもよい。
【００５４】
画像処理部１２５は、Ｉ／Ｆ部１２４から入力される画像データを、光変調装置１１２の液晶パネル１１２Ａの仕様に適合した解像度のデータに変換する解像度変換処理等を実行する。画像処理部１２５は、光変調装置１１２により表示する表示用画像をフレームメモリー１２６に描画して、描画した表示用画像を光変調装置駆動部１２３に出力する。光変調装置駆動部１２３は、画像処理部１２５から入力した表示用画像に基づいて、光変調装置１１２を駆動する。これにより、光変調装置１１２の液晶パネル１１２Ａに画像が描画され、描画された画像が、投射光学系１１３を介してスクリーンＳＣ上に投射画像として投射される。
【００５５】
また、画像処理部１２５は、フレームメモリー１２６に描画した画像を変形させることにより、投射画像の台形歪みを補正する補正処理を実行する。補正処理では、いわゆる樽型歪み（糸巻き型歪み）を補正してもよい。また、画像処理部１２５は、画像の拡大、縮小、回転等の変形処理を実行してもよい。
【００５６】
プロジェクター１００は、プロジェクター本体１０１（図１）の上面に、操作パネル１５５が配置される。操作パネル１５５は、入力処理部１５３に接続される。入力処理部１５３は、制御部１３０の制御に従い、プロジェクター１００の動作状態や設定状態に応じて操作パネル１５５のインジケーターランプを適宜点灯或いは点滅させる。操作パネル１５５のスイッチが操作されると、操作されたスイッチに対応する操作信号が入力処理部１５３から制御部１３０に出力される。
【００５７】
プロジェクター１００は、ユーザーが使用するリモコン７０から信号受信する赤外線受光部１５４（赤外線通信部）を有する。赤外線受光部１５４は、例えば図２に示すように、プロジェクター本体１０１の前面に設置され、リモコン７０が発する赤外線信号を受光する。赤外線受光部１５４は、リモコン７０から受光した赤外線信号をデコードして、リモコン７０における操作内容を示す操作信号を生成し、制御部１３０に出力する。
【００５８】
次に、制御部１３０が備える機能ブロックについて説明する。
投射制御部１３１は、画像処理部１２５を制御して、Ｉ／Ｆ部１２４を介して画像供給装置から供給された画像データに基づいてフレームメモリー１２６に画像を描画させる。また、投射制御部１３１は、通信制御部１３２が端末装置１０からコンテンツデータを受信した場合、このコンテンツデータに基づいてフレームメモリー１２６に画像を描画させる。また、投射制御部１３１は、光変調装置駆動部１２３を制御して、フレームメモリー１２６に描画された画像を光変調装置１１２の液晶パネル１１２Ａに描画させる。光変調装置１１２の液晶パネル１１２Ａに描画された画像が、投射光学系１１３を介してスクリーンＳＣ上に投射画像として投射される。
【００５９】
通信制御部１３２は、無線通信部４０を制御して端末装置１０と無線通信を行う。通信制御部１３２は、端末装置１０との間で無線通信を確立し、端末装置１０が送信する制御データやコンテンツデータを受信し、受信したデータを処理する。例えば、通信制御部１３２がコンテンツデータを受信した場合、このコンテンツデータは制御部１３０のＲＡＭや記憶部１５１に一時的に記憶され、投射制御部１３１によりスクリーンＳＣに投射される。
【００６０】
電源制御部１３３は、プロジェクター１００の動作状態を、通常動作状態、及びスタンバイ状態に切り替える。通常動作状態では、プロジェクター１００が備える構成部を、少なくとも、投射部１１０の投射が可能な状態とする。すなわち、投射部１１０の各部、及び、画像処理系を構成する各部に電源が供給される。通常動作状態には、投射部１１０が投射する画像がない状態で、光源部１１１の光源を消灯し、或いは輝度を低下させた状態を含む。
【００６１】
スタンバイ状態は、少なくとも、制御部１３０、入力処理部１５３、及び赤外線受光部１５４が動作し、電源スイッチの操作及びリモコン７０からの赤外線信号を検出可能な状態である。投射部１１０の各部、及び、投射光学系駆動部１２１、光源駆動部１２２、光変調装置駆動部１２３、画像処理部１２５、フレームメモリー１２６に対する電源供給をオフ、または、低電力状態とすることができる。また、記憶部１５１及び無線通信部１５６への電源供給を、オフ、または低電力状態とすることができる。本実施形態では、スタンバイ状態で無線通信部１５６への電源供給はオフにされる。従って、スタンバイ状態におけるプロジェクター１００の消費電力量は、通常動作状態に比べて低い。
【００６２】
図５に、プロジェクター１００の制御系の要部について、具体的な構成例を示す。
図５に示すＳｏＣ（Ｓｙｓｔｅｍ  ｏｎ  Ｃｈｉｐ）１００ａは、図４に示す機能ブロックの一部が集積された集積回路であり、少なくとも制御部１３０及び入力処理部１５３を実装する。また、記憶部１５１をＳｏＣ１００ａに含めてもよいし、画像処理部１２５及びフレームメモリー１２６をＳｏＣ１００ａに実装してもよい。さらに、投射光学系駆動部１２１、光源駆動部１２２、及び光変調装置駆動部１２３を実装してもよい。これらの各部は、例えば、ＳｏＣ１００ａのＩＰコアとして実装される。
【００６３】
ＳｏＣ１００ａは、スタンバイ状態において、一部のＣＰＵコアを停止、あるいは動作周波数を低く抑えることによって、通常動作状態よりも消費電力量が低い状態となる。スタンバイ状態で、ＳｏＣ１００ａは、割込端子（割り込み信号を検出する機能を有する信号入力端子）１００ｂに接続された赤外線受光部１５４、操作パネル１５５、及びＮＦＣタグ１５８からの割り込みを検出可能である。
【００６４】
ＳｏＣ１００ａは、スタンバイ状態において、割込端子１００ｂに対する割り込み信号の入力、具体的には割込端子１００ｂの電位の変化を検出すると、通常動作状態に復帰する。赤外線受光部１５４は、図５に示すように、フォトトランジスターやフォトダイオードで構成される受光素子１５４ａと、受光素子１５４ａの受光状態を検出する検出回路１５４ｂとを備える。検出回路１５４ｂは、受光素子１５４ａを駆動し、受光素子１５４ａが検出した赤外光の受光パターンが、リモコン７０の送信信号のパターンに合致する場合に、割込端子１００ｂに対し割り込み信号を入力する。
【００６５】
操作パネル１５５は、上述した各種スイッチに接続されるスイッチ基板１５５ａを有する。スイッチ基板１５５ａは、例えばスイッチの操作により導通するメカニカルスイッチを実装したり、印刷された配線同士が導通する平板スイッチで構成することができ、スイッチの操作に応じて通電され、割込端子１００ｂに対し割り込み信号を入力する。なお、スイッチ基板１５５ａは、操作パネル１５５が備えるスイッチの全てについて、操作時に割り込み信号を出力しなくてもよい。例えば、ＳｏＣ１００ａのスタンバイ状態において、スイッチ基板１５５ａは、操作パネル１５５の電源スイッチが操作された場合に割込端子１００ｂに割り込み信号を入力し、他のスイッチが操作されても割り込み信号を入力しない構成であってもよい。
【００６６】
ＮＦＣタグ１５８は、アンテナ１５８ａ及びタグＩＣ１５８ｂを有する。ＮＦＣタグ１５８を読み取る装置（例えば、端末装置１０）が発する無線信号により、アンテナ１５８ａには誘導電流が流れ、この誘導電流を電源としてタグＩＣ１５８ｂが起動する。タグＩＣ１５８ｂは、無線通信設定情報等を記憶するＲＯＭと、アンテナ１５８ａによる無線通信を実行する制御部とを備える。タグＩＣ１５８ｂは、アンテナ１５８ａの誘導電流が流れると動作を開始し、端末装置１０等と無線通信を実行して無線通信設定情報等を送信する。また、タグＩＣ１５８ｂは、アンテナ１５８ａの誘導電流により起動すると、割込端子１００ｂに割り込み信号を入力する。
【００６７】
ＳｏＣ１００ａには、スタンバイ状態において、赤外線受光部１５４がリモコン７０の赤外線信号を受光する、操作パネル１５５のスイッチが操作される、及び、ＮＦＣタグ１５８が読み取られる、のいずれかの事象が発生すると割り込み信号が入力される。ＳｏＣ１００ａは、スタンバイ状態において割込端子１００ｂの割り込み信号を検出可能であればよく、その他の機能に係る構成部を停止させて、消費電力量を効果的に抑制できる。
【００６８】
電源制御部１３３は、ＳｏＣ１００ａ及び他のプロジェクター１００の各部への電源供給状態を制御し、スタンバイ状態への移行と、スタンバイ状態から通常動作状態への復帰を制御する。通常動作状態からスタンバイ状態への移行のトリガーは、Ｉ／Ｆ部１２４への画像データの入力状態、操作パネル１５５の操作、リモコン７０による操作、及び、無線通信部１５６で受信する制御データ等である。また、スタンバイ状態から通常動作状態への復帰のトリガーは、上述したように割込端子１００ｂに対する割り込み信号の入力である。
【００６９】
表示システム１では、端末装置１０をプロジェクター本体１０１に接近させる操作を行うと、端末装置１０のＮＦＣタグ通信部６１がＮＦＣタグ１５８の読み取りを行う。このとき、ＮＦＣタグ通信部６１が発する無線信号により、アンテナ１５８ａに誘導電流が流れると、割込端子１００ｂに割り込み信号が入力される。従って、プロジェクター１００がスタンバイ状態で、端末装置１０を接近させると、プロジェクター１００はスタンバイ状態から通常動作状態に復帰する。
これにより、プロジェクター１００の無線通信部１５６への電源供給が開始され、無線通信部１５６が無線通信可能な状態となるので、プロジェクター１００と端末装置１０とが無線通信を確立できる。
つまり、プロジェクター１００は、スタンバイ状態で無線通信部１５６を停止していても、端末装置１０がＮＦＣタグ１５８を読み取ることで、端末装置１０との無線通信を確立できる。この場合、プロジェクター１００を事前にスタンバイ状態から通常動作状態に復帰させる操作がない。従って、プロジェクター１００と端末装置１０とを簡単な操作で速やかに接続でき、かつ、プロジェクター１００の消費電力量を抑制できる。
【００７０】
図６は、表示システム１の動作を示すフローチャートであり、図６（Ａ）はプロジェクター１００の動作を示し、図６（Ｂ）は端末装置１０の動作を示す。
図６の動作の開始時点において、プロジェクター１００がスタンバイ状態である。
プロジェクター１００は、割込端子１００ｂへの割り込み信号を待機し（ステップＳ１１）、割り込み信号が入力されるまで各部への電源供給を停止してスタンバイ状態を維持する（ステップＳ１１；Ｎｏ）。
【００７１】
ユーザーが端末装置１０を手に持ち、プロジェクター本体１０１の上面に近づけてＮＦＣタグ１５８の読み取りを行うと（ステップＳ２１）、プロジェクター１００において割り込み信号が割込端子１００ｂに入力される（ステップＳ１１；Ｙｅｓ）。
プロジェクター１００は、割り込み信号に応答して通常動作状態に復帰し（ステップＳ１２）、これにより無線通信部１５６が起動する（ステップＳ１３）。
【００７２】
一方、端末装置１０は、ＮＦＣタグ通信部６１によりＮＦＣタグ１５８から情報を取得する（ステップＳ２２）。ステップＳ２２で取得される情報は、無線通信設定情報を含む。端末装置１０は、取得した情報に基づき、ＮＦＣ設定データ３２を参照し、起動するアプリケーションプログラム３１を選択する（ステップＳ２３）。
端末装置１０において、選択されたアプリケーションプログラム３１が実行されると（ステップＳ２４）、このアプリケーションプログラム３１の機能により、ステップＳ２２で取得した無線通信設定情報に基づき無線通信が確立される（ステップＳ２５）。また、プロジェクター１００においては無線通信部１５６が動作して、端末装置１０との間で無線通信を確立する（ステップＳ１４）。
【００７３】
端末装置１０は、アプリケーションプログラム３１の機能により、操作画面を表示し（ステップＳ２６）、操作を待機する（ステップＳ２７；Ｎｏ）。操作画面は、操作用のスイッチを模したアイコン等が配置される画面であり、これらのアイコン等がタッチ操作されると、端末装置１０が、当該操作をタッチスクリーン５３で検出する。操作を検出した場合（ステップＳ２７；Ｙｅｓ）、端末装置１０は、操作に対応する制御データを生成して、無線通信部４０によりプロジェクター１００に送信する（ステップＳ２８）。
【００７４】
ここで、端末装置１０は、ステップＳ２７で検出した操作が、アプリケーションプログラム３１の動作の終了の指示であるか否かを判定する（ステップＳ２９）。終了の指示の操作でない場合（ステップＳ２９；Ｎｏ）、端末装置１０は、ステップＳ２７に戻って次の操作を待機する。また、終了の指示の操作である場合（ステップＳ２９；Ｙｅｓ）、端末装置１０は、アプリケーションプログラム３１の実行を終了して、プロジェクター１００との無線接続を切断し（ステップＳ３０）、本処理を終了する。
【００７５】
プロジェクター１００は、端末装置１０が送信する制御データを受信し（ステップＳ１５）、受信した制御データが、端末装置１０によるプロジェクター１００の操作の終了を指示するデータか否かを判定する（ステップＳ１６）。終了を指示するデータでない場合（ステップＳ１６；Ｎｏ）、プロジェクター１００は、制御データに対応する処理を実行し（ステップＳ１７）、ステップＳ１５に戻って次の制御データの受信を待機する。
【００７６】
また、端末装置１０から受信した制御データが終了の指示である場合（ステップＳ１６；Ｙｅｓ）、プロジェクター１００は、スタンバイ状態に移行して（ステップＳ１８）、本処理を終了する。
【００７７】
図７は、端末装置１０の表示パネル５２に表示される画像の例を示す図である。図７（Ａ）は操作画面の例を示し、図７（Ｂ）及び（Ｃ）は操作画面の別の例を示す。また、図７（Ｄ）は操作画面でコンテンツデータ３３の送信が指示された場合の表示画面の例を示す。図７（Ａ）〜（Ｄ）の操作画面６３、６４、６５及びコンテンツ再生画面６６は、アプリケーション実行部２３がアプリケーションプログラム３１を実行することで、表示される。
【００７８】
図７（Ａ）に示す操作画面６３は、表示パネル５２の上部に機能アイコン群６３ａが配置され、表示パネル５２の中央には方向指示アイコン６３ｂが配置される。機能アイコン群６３ａは、プロジェクター１００の電源オフ、プロジェクター１００が投射する画像ソースの切替、音量調整等の機能に対応するアイコンを含む。電源オフのアイコンは、アプリケーションプログラム３１による操作の終了の指示に対応する。また、方向指示アイコン６３ｂは、音量調整や、一覧表示された候補の選択等に使用される。
【００７９】
図７（Ｂ）及び（Ｃ）には、より多機能なプロジェクター１００の操作に適した操作画面の例を示す。図７（Ａ）の操作画面６３は、３つのアイコンを含む機能アイコン群６３ａと方向指示アイコン６３ｂを含むが、多くの機能を有するプロジェクター１００を操作する場合は、より多くのアイコンを端末装置１０が表示することが好ましい。このような場合、端末装置１０には、例えば図７（Ｂ）の操作画面６４が表示される。
【００８０】
操作画面６４には、操作画面６３と同様のアイコン群６３ａ、方向指示アイコン６３ｂが配置される。さらに、操作画面６４にはページ切替アイコン６４ｃが配置される。ページ切替アイコン６４ｃが操作されると、表示画面は、図７（Ｃ）の操作画面６５に遷移する。操作画面６５には、方向指示アイコン６３ｂが配置されるほか、機能アイコン群６３ａとは異なる機能アイコンを含む機能アイコン群６３ｄが配置される。また、図７（Ｂ）の操作画面６４への遷移を指示するページ切替アイコン６５ｃが配置される。
このように、端末装置１０は、アプリケーションプログラム３１の機能により、複数のページで構成される操作画面６４、６５を用い、多くのアイコンによる操作を可能とすることができる。
【００８１】
操作画面６３は機能の少ないプロジェクター１００に好適であり、操作画面６４、６５はより多機能のプロジェクター１００に好適である。従って、端末装置１０は、プロジェクター１００の機種に応じて、操作画面６３と、操作画面６４、６５とを切り替えて表示することが好ましい。その実現方法として、本実施形態では３通りの方法を例示する。
【００８２】
第１の方法は、端末装置１０が有するアプリケーションプログラム３１がプロジェクター１００の機種に対応して異なる操作画面を切り替えて表示する方法である。この場合、アプリケーションプログラム３１は、ＮＦＣタグ通信部６１が取得した無線通信設定情報に基づきプロジェクター１００の機種を判定し、判定した機種に対応する操作画面を選択する。例えば、アプリケーションプログラム３１が、操作画面６３と、操作画面６４、６５とを表示可能であり、プロジェクター１００の機種に対応してこれらの操作画面のいずれかを選択して表示する。この方法ではプロジェクター１００の機種によらず共通のアプリケーションプログラム３１を利用できるので、アプリケーションプログラム３１の管理が容易になるという利点がある。
【００８３】
第２の方法は、図３（Ｂ）に示したように、端末装置１０が、複数のアプリケーションプログラム３１を記憶部３０に記憶し、プロジェクター１００の機種に応じて異なるアプリケーションプログラム３１を起動する方法である。それぞれのアプリケーションプログラム３１は異なる操作画面を有し、例えば図３（Ｂ）のアプリケーションプログラム（１）は操作画面６３を表示し、アプリケーションプログラム（２）は操作画面６４、６５を表示する。この方法では、ユーザーは、使用するプロジェクター１００の機種に対応するアプリケーションプログラム３１を、端末装置１０にインストールすればよい。従って、記憶部３０が記憶するアプリケーションプログラム３１のデータ容量を抑えることができるという利点がある。
【００８４】
第３の方法は、ＮＦＣタグ通信部６１がＮＦＣタグ１５８を読み取った後に起動するアプリケーションプログラムにより、他のアプリケーションプログラムを呼び出す方法である。最初に起動するアプリケーションプログラムは、操作画面を表示する機能を持たず、無線通信設定情報に基づきプロジェクター１００の機種を判定し、判定した機種に対応する別のアプリケーションプログラムを呼び出す。そして、呼び出されるアプリケーションプログラムは複数あり、それぞれ異なる操作画面を表示できる。例えば、操作画面６３を表示するアプリケーションプログラム３１と、操作画面６４、６５を表示するアプリケーションプログラム３１とのいずれかが選択され、呼び出される。この方法では、プロジェクター１００の機種に応じてアプリケーションプログラム３１を選択する処理が複雑であっても容易に実現できるので、アプリケーションプログラム３１の高度化、高機能化、機種の多様化に容易に対応できるという利点がある。
【００８５】
そして、操作画面６３、６４、６５等による操作で、端末装置１０が記憶するコンテンツデータ３３をプロジェクター１００に送信して、プロジェクター１００で表示させることが可能となる。このコンテンツデータ３３の送信、表示中の画面の例を図７（Ｄ）に示す。このコンテンツ再生画面６６には、再生中の映像または画像が全画面表示される他、プロジェクター１００に対する操作を可能とするため、画面切替アイコン６６ａが配置される。画面切替アイコン６６ａが操作されると、表示中の画面が、操作画面６３、６４、６５等に切り替えられる。画面切替アイコン６６ａは画像の視認を妨げないように、表示パネル５２の隅に表示されることが好ましい。
【００８６】
以上、説明したように、本実施形態に係る表示システム１は、端末装置１０と、プロジェクター１００とを備える。プロジェクター１００は、画像を表示する投射部１１０を備え、ＮＦＣタグ１５８と、端末装置１０と無線通信を行う無線通信部１５６と、プロジェクター１００の動作状態を、少なくとも通常動作状態とスタンバイ状態とに切り替える制御部１３０とを備える。制御部１３０は、スタンバイ状態においてＮＦＣタグ１５８が端末装置１０と通信したことを検知すると、動作状態を通常動作状態に移行し、無線通信部１５６はスタンバイ状態から通常動作状態に復帰して端末装置１０と無線通信を確立する。これにより、プロジェクター１００がスタンバイ状態である場合に、ＮＦＣタグ１５８を読み取る操作を行うことで、プロジェクター１００と端末装置１０との無線通信を速やかに開始できる。従って、無線通信を確立しない間のプロジェクター１００の消費電力量を抑え、かつ煩雑な操作を行うことなく、端末装置１０とプロジェクター１００とを接続できる。
【００８７】
また、ＮＦＣタグ１５８は、少なくとも無線通信部１５６の無線通信に係る無線通信設定情報を保持し、無線通信部１５６は、ＮＦＣタグ１５８が有する無線通信設定情報を利用した端末装置１０との間で無線通信を確立する。このため、ＮＦＣタグ１５８が有する情報に基づいて無線通信を速やかに確立できる。
また、ＮＦＣタグ１５８は、プロジェクター１００の種類として、例えば機種を識別するデータ（識別情報）を格納することができるので、端末装置１０がプロジェクター１００の機種を識別できる。これにより、端末装置１０は、プロジェクター１００の機種に対応した処理を行うことができる。
【００８８】
また、制御部１３０は、通常動作状態において無線通信部１５６及び投射部１１０への電源供給を可能とし、スタンバイ状態において無線通信部１５６及び投射部１１０への電源供給をオフにしてＮＦＣタグ１５８の通信を待機する。このため、スタンバイ状態において、ＮＦＣタグ１５８の読み取りの待機を可能とし、かつ、消費電力量を抑制できる。
【００８９】
また、プロジェクター１００は、赤外線信号を受信する赤外線受光部１５４を備え、制御部１３０は、スタンバイ状態で赤外線受光部１５４による赤外線信号の受信を可能とする。このため、スタンバイ状態において、ＮＦＣタグ１５８の読み取りと、リモコン７０の操作との両方を待機できる。
【００９０】
また、端末装置１０は、ＮＦＣタグ１５８を読み取るＮＦＣタグ通信部６１と、プロジェクター１００と無線通信を行う無線通信部４０と、アプリケーションプログラム３１を記憶する記憶部３０とを備える。端末装置１０は、制御部２０により、ＮＦＣタグ通信部６１によりＮＦＣタグ１５８から読み取った情報に基づき、無線通信部４０でプロジェクター１００と無線通信を確立する。さらに、制御部２０は、ＮＦＣタグ１５８から読み取った情報に対応するアプリケーションプログラム３１を記憶部３０から読み出して実行し、プロジェクター１００を制御する制御データを無線通信部４０から送信する。これにより、プロジェクター１００と端末装置１０との間で、ＮＦＣタグ１５８を読み取る簡単な操作により、無線通信を確立し、その後にアプリケーションプログラム３１の機能によりプロジェクター１００を操作できる。
【００９１】
また、端末装置１０は、画面を表示する投射部１１０と、操作を受け付けるタッチスクリーン５３及びスイッチ部５４とを備える。制御部２０は、アプリケーションプログラム３１の機能により、プロジェクター１００を制御するための操作画面を投射部１１０により表示し、操作画面の表示中に操作部が検出する操作に基づいて、制御データを送信する。これにより、例えば図７（Ａ）〜（Ｃ）に示す操作画面６３、６４、６５を用い、プロジェクター１００を操作できる。このため、プロジェクター１００の専用のリモコン７０を用いなくても、プロジェクター１００を操作できる。端末装置１０は、例えばユーザーが携帯するスマートフォンであってもよい。従って、リモコン７０を使わずに、ユーザーが所有するスマートフォンで、様々なプロジェクターを操作できる。
【００９２】
そして、制御部２０は、それぞれ異なる操作画面を投射部１１０で表示する複数のアプリケーションプログラム３１を実行可能であってもよい。この場合、ＮＦＣタグ通信部６１によりＮＦＣタグ１５８から読み取った情報に基づいて、実行するアプリケーションプログラム３１を選択してもよい。この場合、複数のアプリケーションプログラム３１により、複数種類の操作画面６３、６４、６５を使い分けることができる。
また、制御部２０は、アプリケーションプログラム３１の機能により複数の操作画面を表示可能であり、ＮＦＣタグ通信部６１によりＮＦＣタグ１５８から読み取った情報に対応する操作画面を表示パネル５２に表示してもよい。また、制御部２０は、ＮＦＣタグ通信部６１によりＮＦＣタグ１５８を読み取った場合にアプリケーションプログラムを実行し、このアプリケーションプログラムの機能により、操作画面を表示するアプリケーションプログラム３１を呼び出して起動してもよい。
【００９３】
上記のように、プロジェクター１００は、ＮＦＣタグ１５８が読み取られたことを割り込み信号により検知した後、スタンバイ状態から通常動作状態に移行する。ここで、無線通信部１５６が端末装置１０と無線通信を確立しない状態が継続した場合に、スタンバイ状態に移行してもよい。
図８は、本実施形態の変形例におけるプロジェクター１００の動作を示すフローチャートである。図８の動作は、図６（Ａ）に示した動作に代えて実行できる。図６（Ａ）と同じ処理に対しては同ステップ番号を付して説明を省略する。
【００９４】
プロジェクター１００は、割り込み信号に応答して通常動作状態に復帰し（ステップＳ１２）、無線通信部１５６を起動し（ステップＳ１３）、その後、無線信号を受信したか否かを判定する（ステップＳ４１）。ステップＳ４１では、端末装置１０が無線通信を確立するために送信する無線信号を受信できたか否かを判定する。
ここで、無線信号を受信した場合（ステップＳ４１）、プロジェクター１００はステップＳ１４に移行して無線通信を確立する。
【００９５】
一方、無線信号を受信しない場合（ステップＳ４１；Ｎｏ）、プロジェクター１００は、無線通信部１５６をオンにしてから予め設定された時間が経過したか否かを判定する（ステップＳ４２）。設定された時間が経過していない場合は（ステップＳ４２；Ｎｏ）、ステップＳ４１に戻る。また、予め設定された時間が経過した場合（ステップＳ４２；Ｙｅｓ）、ステップＳ１８に移行してスタンバイ状態に戻る。
【００９６】
この動作では、ＮＦＣタグ１５８が読み取られたことを検知しても、端末装置１０との間で無線通信が確立されなければ、スタンバイ状態に戻る。このため、ＮＦＣタグ１５８が読み取られても、通常動作状態に移行する必要がない場合の消費電力量を抑制できる。具体的には、誤ってユーザーがＮＦＣタグ１５８を読み取り、アプリケーションプログラム３１を終了した場合、或いは、アプリケーションプログラム３１をインストールしていない端末装置１０がＮＦＣタグ１５８を読み取った場合等がある。このような場合に、再びプロジェクター１００をスタンバイ状態に移行させる操作が不要なため、より一層の利便性の向上を図ることができる。
【００９７】
なお、上述した実施形態は、本発明の好適な実施形態の一例を示すものであり、本発明の実施態様はこれに限定されるものではなく、本発明の要旨を逸脱しない範囲内において種々の変形実施が可能である。例えば、１つの端末装置１０が１つのプロジェクター１００と無線通信を行って操作を行う構成を示したが、複数の端末装置１０が１または複数のプロジェクター１００を制御してもよい。また、１つの端末装置１０により複数のプロジェクター１００を制御してもよい。さらに、プロジェクター１００において端末装置１０を識別することが可能な構成としてもよい。
【００９８】
また、例えば、上記実施形態では、スクリーンＳＣの前方から投射するフロントプロジェクション型のプロジェクター１００を表示装置の一例として示したが、本発明はこれに限定されない。例えば、スクリーンＳＣの背面側から投射するリアプロジェクション（背面投射）型のプロジェクターを表示装置として採用できる。また、液晶表示パネルに画像を表示する液晶モニターまたは液晶テレビを表示装置として採用してもよい。ＰＤＰ（プラズマディスプレイパネル）、ＣＲＴ（陰極線管）ディスプレイ、ＳＥＤ（Surface-conduction Electron-emitter Display）等を表示装置として用いてもよい。また、ＯＬＥＤ（Organic light-emitting diode）、ＯＥＬ（Organic Electro Luminescence）ディスプレイ等と呼ばれる有機ＥＬ表示パネルに画像を表示するモニター装置またはテレビ受像機等の自発光型の表示装置を採用してもよい。これらの表示装置を備える構成において本発明を適用した場合も、上記実施形態と同様に、有用な効果が得られる。
【００９９】
また、本発明の入力装置は、上記実施形態では、端末装置として、平板状の端末装置本体１１を有し、ユーザーが手に持って操作する携帯型の端末装置１０を例に挙げて説明したが、本発明はこれに限定されない。例えば携帯型ゲーム機、音楽や映像を再生する携帯型再生装置等を、端末装置１０として用いることができる。さらに、端末装置１０は、表示パネル５２以外のハードウェアキーボード等を有する構成であってもよい。
【０１００】
また、ＮＦＣタグ１５８は、プロジェクター本体１０１に設置されるとして説明してきたが、プロジェクター本体１０１とは別筐体に設置されていてもかまわない。この場合、別筐体とプロジェクター本体１０１とはケーブルで接続される。このことにより、ＮＦＣタグ１５８をプロジェクター本体とは離れた位置に配置でき、より使い勝手がよい。
【０１０１】
また、図２及び図４に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、表示システム１の他の各部の具体的な細部構成についても、本発明の趣旨を逸脱しない範囲で任意に変更可能である。
【符号の説明】
【０１０２】
１…表示システム、１０…端末装置、２０…制御部（端末制御部）、２１…表示制御部、２２…通信制御部、２３…アプリケーション実行部、３０…記憶部、３１…アプリケーションプログラム、３２…ＮＦＣ設定データ、３３…コンテンツデータ、４０…無線通信部（機器間無線通信部）、５１…表示部、５２…表示パネル、５３…タッチスクリーン、５４…スイッチ部、５５…操作検出部、６１…ＮＦＣタグ通信部（タグ通信部）、６３、６４、６５…操作画面、６３ａ、６３ｄ…機能アイコン群、６３ｂ…方向指示アイコン、６４ｃ、６５ｃ…ページ切替アイコン、６６…コンテンツ再生画面、６６ａ…画面切替アイコン、７０…リモコン、１００…プロジェクター（表示装置）、１００ａ…ＳｏＣ、１００ｂ…割込端子、１１０…投射部（表示部）、１３０…制御部、１３１…投射制御部、１３２…通信制御部、１３３…電源制御部、１５１…記憶部、１５３…入力処理部、１５４…赤外線受光部、１５４ａ…受光素子、１５４ｂ…検出回路、１５５…操作パネル、１５５ａ…スイッチ基板、１５６…無線通信部、１５８…ＮＦＣタグ（無線タグ）、１５８ａ…アンテナ、１５８ｂ…タグＩＣ、１５９…マーカー、１６１…無線通信設定情報、ＳＣ…スクリーン。
【図１】
0006676876.tif 000002
【図２】
0006676876.tif 000003
【図３】
0006676876.tif 000004
【図４】
0006676876.tif 000005
【図５】
0006676876.tif 000006
【図６】
0006676876.tif 000007
【図７】
0006676876.tif 000008
【図８】
0006676876.tif 000009